(57)【要約】  照明アセンブリ（１６）は、ベゼル（２０）と、第１の表面上にピボット点（５０）を有し、ベゼルに結合されたハウジング（２２）と、ハウジングとベゼルとの間に設けられたランプ（２４）と、ランプをベゼルに対して付勢するように構成されたバイアス部材（７６）とを含んでいる。バイアス部材（７６）は、ピボット点（５０）でハウジング（２２）と嵌合し、ランプはハウジングに対してピボット点の周りを旋回する。
2009541941.tif 000002
【特許請求の範囲】
【請求項１】
ベゼルと、
前記ベゼルに結合され、第１の表面上に位置するピボット点を有するハウジングと、
前記ハウジングと前記ベゼルとの間に設けられたランプと、
前記ランプを前記ベゼルに対して付勢するように構成されたバイアス部材と
を含み、
前記バイアス部材は前記ピボット点で前記ハウジングと嵌合し、前記ランプが前記ハウジングに対して前記ピボット点の周りで旋回する照明アセンブリ。
【請求項２】
前記ランプが発光ダイオードを含んでいる請求項１に記載のアセンブリ。
【請求項３】
前記ランプはプリント回路基板を含み、
前記発光ダイオードは前記プリント回路基板に結合されている請求項２に記載のアセンブリ。
【請求項４】
前記ランプは、前記ベゼルの通路と摺動して嵌合する状態の切頭球状部分を含んでいる請求項１に記載のアセンブリ。
【請求項５】
前記バイアス部材は、支持体に一体形成された部分である請求項１に記載のアセンブリ。
【請求項６】
前記支持体は型打ち成形された金属片であり、前記バイアス部材は前記支持体の隆起部分を含んでいる請求項５に記載のアセンブリ。
【請求項７】
前記ランプから延伸する突出部と、
前記ハウジングに設けられたリセスと
をさらに含み、
前記突出部は前記ランプの動きを制限するために前記リセスと嵌合する請求項１に記載のアセンブリ。
【請求項８】
前記ハウジングから延伸する突出部をさらに含み、
前記バイアス部材は前記ランプが動くことで圧縮するように構成され、
前記突出部が前記バイアス部材の圧縮を制限する請求項１に記載のアセンブリ。
【請求項９】
前記ベゼルに設けられた通路をさらに含み、
前記ランプは、前記通路の軸に対して前記ランプの旋回を制限するように前記ハウジングと嵌合する請求項１に記載のアセンブリ。
【請求項１０】
前記ランプの旋回は、前記通路の軸から最大約１５度のオフセット角度に制限される請求項９に記載のアセンブリ。
【請求項１１】
第１のハウジングと、
前記第１のハウジングに結合された第２のハウジングと、
前記第１のハウジングと前記第２のハウジングとの間に設けられたランプアセンブリとを含み、
前記ランプアセンブリおよび前記第２のハウジングの一方にあるくぼみが、前記ランプアセンブリおよび前記第２のハウジングの他方にある戻り止めと嵌合し、
前記ランプアセンブリは前記くぼみと前記戻り止めの境界面の周りを旋回する車内用照明アセンブリ。
【請求項１２】
前記戻り止めは前記ランプアセンブリを前記第１のハウジングの方へ付勢するバイアス部材に設けられている請求項１１に記載の照明アセンブリ。
【請求項１３】
前記ランプアセンブリは前記第２のハウジングと対面するほぼ平坦な支持体を含み、前記バイアス部材は前記支持体に結合されている請求項１２に記載の照明アセンブリ。
【請求項１４】
前記支持体は前記バイアス部材と一体に形成されている請求項１３に記載の照明アセンブリ。
【請求項１５】
前記第２のハウジングにあるリセスと嵌合し、かつ前記第２のハウジングに対して前記ランプアセンブリの動く範囲を制限するように構成され、前記ランプアセンブリに設けられた突出部をさらに含んでいる請求項１１に記載の照明アセンブリ。
【請求項１６】
前記第１のハウジングは前記第１のハウジングにある孔に隣接した複数の隆起部分を含み、前記ランプアセンブリは前記複数の隆起部分で前記第１のハウジングと嵌合する請求項１１に記載の照明アセンブリ。
【請求項１７】
第１のハウジングと、
第２のハウジングと、
前記第１のハウジングと前記第２のハウジングとの間に少なくとも部分的に設けられたランプアセンブリと、
前記ランプアセンブリから前記第２のハウジングの方へ延伸し、前記ランプアセンブリを前記第１のハウジングへ付勢するように構成されたばね部分と
を含み、
前記ランプアセンブリは前記第１のハウジングおよび前記第２のハウジングに対して前記ばね部分の周りを旋回するように構成されたオーバーヘッドコンソール。
【請求項１８】
前記ランプアセンブリは発光ダイオードを含んでいる請求項１７に記載のオーバーヘッドコンソール。
【請求項１９】
前記ランプアセンブリに設けられた突出部が、前記ランプアセンブリの回転を制限するように前記第２のハウジングに設けられたチャネルと嵌合する請求項１７に記載のオーバーヘッドコンソール。
【請求項２０】
前記ランプアセンブリは前記第２のハウジングに対面するほぼ平坦な表面を含み、前記ばね部分は前記平坦な表面から延伸する請求項１９に記載のオーバーヘッドコンソール。
【発明の詳細な説明】
【技術分野】
【０００１】
関連出願の相互参照
本願は、２００６年６月１９日に出願された米国仮特許出願第６０／８１４，８２１号明細書の優先権を主張する非仮特許出願であり、同仮特許出願の内容全体は、参照によって本明細書に援用されたものとする。
【０００２】
一般に、本開示は、照明アセンブリまたはランプ器具の分野に関し、詳細には照準可能であり、または指向性のある照明アセンブリの分野に関する。
【背景技術】
【０００３】
自動車などの車両および他の環境において、照明を与えるために使用される指向性照明アセンブリが一般に知られている。典型的に、照明アセンブリは、別の物体（例えば、自動車）に取り付けられ、使用者が種々の方向にランプの照準を向けたり、ランプを方向付けしたりできる機能を含んでいる。一般に、このような照明アセンブリは、軸の周りを回転するものでもよく、一点の周りを旋回するものでもよい。
【０００４】
このような装置の１つのタイプにおいて、照明アセンブリは、照明アセンブリの旋回が可能になるように、相補的な形状のソケットによって保持された球状本体を含んでいる。本体の直径は、照明アセンブリの輪郭に部分的に影響を与える。本体のフロント部分（すなわち、露出部分）は、レンズを収容していることが多い。ソケットは、照明アセンブリを適当な位置に保持する摩擦力を生じながら、複数の接触点で本体の背面と接触することが多い。本体の外部の一部分上で本体とソケットとの間に連続的な接触がある照明アセンブリもある。
【発明の概要】
【課題を解決するための手段】
【０００５】
１つの例示的な実施形態は、ベゼルと、第１の表面にあるピボット点を有し、ベゼルに結合されたハウジングと、ハウジングとベゼルとの間に設けられたランプと、ベゼルに対してランプを付勢するように構成されたバイアス部材とを有する照明アセンブリに関する。バイアス部材は、ピボット点でハウジングと嵌合し、ランプはハウジングに対してピボット点の周りを旋回する。
【０００６】
別の例示的な実施形態は、第１のハウジングと、第１のハウジングに結合された第２のハウジングと、第１のハウジングと第２のハウジングとの間に設けられたランプアセンブリとを含んだ車内用照明アセンブリに関する。ランプアセンブリおよび第２のハウジングの一方にあるくぼみが、ランプアセンブリおよび第２のハウジングの他方にある戻り止めと嵌合し、ランプはくぼみと戻り止めの境界面の周りを旋回する。
【０００７】
別の例示的な実施形態は、第１のハウジングと、第２のハウジング部材と、第１のハウジングと第２のハウジングとの間に少なくとも部分的に設けられたランプアセンブリと、ランプアセンブリから第２のハウジングの方へ延伸し、ランプアセンブリを第１のハウジングの方へ付勢するように構成されたばね部分とを含むオーバーヘッドコンソールに関する。ランプアセンブリは、第１のハウジングおよび第２のハウジングに対してばね部分の周りを旋回するように構成されている。
【図面の簡単な説明】
【０００８】
【図１】１つの例示的な実施形態に係るオーバーヘッドコンソールを含む車両の等角投影図である。
【図２】１つの例示的な実施形態に係る図１のオーバーヘッドコンソールの底面図である。
【図３】１つの例示的な実施形態に係る図２の照明アセンブリの等角投影図である。
【図４】１つの例示的な実施形態に係る線４−４に沿って切り取った図３の照明アセンブリの断面図である。
【図５】１つの例示的な実施形態に係る図３の照明アセンブリの分解図である。
【図６】１つの例示的な実施形態に係る図４に示すランプケーシングの等角投影図である。
【図７】例示的な実施形態に係る照明アセンブリ用のランプカバーの等角投影図である。
【図８】例示的な実施形態に係る照明アセンブリ用のランプカバーの等角投影図である。
【図９Ａ】１つの例示的な実施形態に係るカバーおよびベゼル構成部品を示す照明アセンブリの平面図である。
【図９Ｂ】図９Ａの照明アセンブリの側面図である。
【図１０Ａ】別の例示的な実施形態に係るカバーおよびベゼル構成部品を示す照明アセンブリの平面図である。
【図１０Ｂ】図９Ａの照明アセンブリの側面図である。
【図１１】別の例示的な実施形態に係る照明アセンブリの断面図である。
【図１２】別の例示的な実施形態に係るコンソールのオーバーヘッドの底面図である。
【図１３】１つの例示的な実施形態に係る図１２のオーバーヘッドコンソールの断面図である。
【図１４】１つの例示的な実施形態に係る図１２のオーバーヘッドコンソールの分解図である。
【発明を実施するための形態】
【０００９】
図１を参照すると、車両１０を、１つの例示的な実施形態に従って示している。車両１０は、内部１２（例えば、乗員室など）と、オーバーヘッドコンソール１４として示すコンソールとを含んでいる。車両１０は、図１では自動車として示しているが、さまざまな別の実施形態によれば、車両１０をスポーツ汎用車、バス、レクリエーション用車両、飛行機などを含む多種多様な任意の車両としてもよく、本明細書で明示される内容がこのような用途のすべてに及ぶものであることを理解されたい。
【００１０】
図２を参照すると、オーバーヘッドコンソール１４（例えば、オーバーヘッド構成部品、パネル、ヘッドライナなど）を、１つの例示的な実施形態に従って示している。オーバーヘッドコンソール１４は、例えば、内部１２に光を与えるように意図された少なくとも１つの照明アセンブリ１６（例えば、照明器具、読書灯、天井の照明、ランプアセンブリなど）を含んでいてもよい。図２には、照明アセンブリ１６がオーバーヘッドコンソール１４の一部であるように描かれているが、さまざまな別の実施形態によれば、照明アセンブリ１６が、サイドパネル、シートバックなどを含む多種多様な構成部品の一部として与えられてもよいことを理解されたい。
【００１１】
図３〜図５を参照すると、１つの例示的な実施形態に係る照明アセンブリ１６を示している。図５に示すように、照明アセンブリ１６は、フロントハウジングまたはベゼル２０（例えば、第１のハウジング、支持体など）と、ランプアセンブリまたはランプ２４（例えば、ランプサブアセンブリなど）と、リアハウジングまたはハウジング２２（例えば、第２のハウジング、カバーなど）とを含んでいる。図３に示すように、ハウジング２２とベゼル２０との間にランプ２４が設けられている。
【００１２】
１つの例示的な実施形態によれば、ベゼル２０はほぼ平坦であるが、任意の適切な形状またはサイズのものであってもよい。ベゼル２０は、孔３６（例えば、開口、通路、穴など）を含んでいる。また、ベゼル２０は、ベゼル２０とランプ２４との間の接触面を与える孔３６に隣接して、１つ以上の等間隔に設けられた隆起部分３８（例えば、出っ張り、突出部、丸い部材など）を有していてもよい。好ましい実施形態によれば、ベゼル２０は、孔３６の周りに等間隔の距離に位置決めされた３つの隆起部分３８を含んでいる。隆起部分３８は、ランプ２４を適切に位置決めし、ランプ２４の旋回を滑らかにするように意図されている。別の実施形態によれば、隆起部分３８がないベゼル２０が設けられている。
【００１３】
ハウジング２２は、ほぼ円筒状であり、ベゼル２０に取り付けられる開放フロント部分４０と、ベゼル２０とハウジング２２との間でランプ２４の固定を補助する少なくとも部分的に閉鎖されたリア部分４２とを有している。図３および図４に示すように、ハウジング２２は、フロント部分４０でハウジング２２の円筒状本体から延伸する１つ以上のタブ４４（例えば、拡張部、フランジなど）を含んでいてもよい。タブ４４は、ハウジング２２をベゼル２０に取り付けるために使用されてもよく、さまざまなタイプの固定具などを収容するための１つ以上の貫通孔またはねじ穴４６を含んでいてもよい。１つの例示的な実施形態によれば、ベゼル２０は、ハウジング２２の周辺に隣接して等間隔に設けられ、ベゼル２０をハウジング２２にヒートステークするために使用される３つのヒートステークポスト４８を含んでいる。
【００１４】
図９Ａ〜図９Ｂに示す別の実施形態によれば、ハウジング２２がタブ４４を含まずに、ハウジング２２のリア部分４２を介してベゼル２０に取り付けられている。図９Ａ〜図９Ｂに示すように、ベゼル２０は、ベゼル２０から延伸してハウジング２２内に収容されたポスト４９に結合されるねじ付き固定具を用いてハウジング２２に取り付けられていてもよい。
【００１５】
図１０Ａ〜図１０Ｂに示す別の例示的な実施形態によれば、ベゼル２０およびハウジング２２のそれぞれに１つ以上のくさび４５および１つ以上のくさび受け４７が設けられている。くさび４５は、適所まで回転され、くさび受け４７によって固定保持される。図１０Ａ〜図１０Ｂに示すように、くさび４５はハウジング２２に設けられ、くさび受け４７はベゼル２０に設けられている。別の実施形態によれば、くさび／くさび受けの配置は逆であってもよい。あるいは、さまざまな別の実施形態によれば、ハウジング２２をベゼル２０に取り付けるための他の手段が用いられていてもよい（例えば、超音波溶接、接着剤など）。
【００１６】
ハウジング２２は、ランプ２４が旋回するピボット点５０（例えば、ピボット部分または領域など）を含んでいる。ピボット点５０は、ランプ２４にあるくぼみに受け入れられるように構成された戻り止めを含んでいてもよく、または、逆に、ランプ２４にある戻り止めを受け入れるように構成されたくぼみを含んでいてもよい。図３〜図５に示すように、ハウジング２２は戻り止めを含んでいる。あるいは、ランプ２４がピボット点５０の周りで旋回できるようにする他の手段が使用されてもよい。
【００１７】
１つの例示的な実施形態によれば、ピボット点５０がリア部分４２の中心に位置することによって、ハウジング２２からランプ２４にかかる力が、孔３６の位置にあるハウジング２２とベゼル２０との間の境界面の周りに実質的に等間隔に分布される。これは、使用者が、照明アセンブリ１６を所望の位置に維持するために適切な力を与えながら、照明アセンブリ１６の照準や方向を決めるために、ランプ２４を滑らかに安定して旋回させることを意図したものである。
【００１８】
以下、図５を参照しながら、ランプ２４についてさらに詳細に記述する。ランプ２４は、フロントカバーまたはランプケーシング２６と、レンズ２８と、発光ダイオード（ＬＥＤ）３２として示した光源と、プリント回路基板（ＰＣＢ）３０として示した支持部材と、ランプカバー３４として示したリアランプ支持体またはカバー（例えば、支持体、ハウジング、型打ち物など）を含んでいる。図５に示すように、ランプ２４の構成部品は、一般にＰＣＢ３０（ＬＥＤ３２が結合されている）およびレンズ２８が、ランプカバー３４とランプケーシング２６との間に位置するように配設されている。
【００１９】
図３〜図６に示すように、ランプケーシング２６はほぼ半球状であり、ランプ２４の他の構成部品を受け入れるように構成された第１の開口または大きな開口５２と、レンズ２８の外側部分を受け入れ、ランプ２４から光が放出されるように構成された第２の開口または小さな開口５４とを有する。１つの実施形態によれば、ランプケーシング２６はほぼ切頭球（ｆｒｕｓｔｏ−ｓｐｈｅｒｉｃａｌ）形状を有する。ランプケーシング２６は、ランプ２４のさまざまな構成部品を互いに固定するために使用される１つ以上のポスト５６を含んでいてもよい。１つの例示的な実施形態によれば、ランプ２４の構成部品を固定するために３つのポスト５６が設けられ、各ポスト５６は小さな開口５４の周囲に等間隔の位置に設けられている。
【００２０】
ランプケーシング２６は、１つ以上の回転防止突出部５８（例えば、摘み、拡張部、タブなど）を含んでいてもよい。突出部５８は、大きな開口５２に隣接した位置に設けられ、ランプケーシング２６の本体から外向きに延伸していてもよい。突出部５８は、ランプ２４を組み立てたときに、リセスやチャネルなどを形成するベゼル２０に設けられた１つ以上の部材６０（例えば、タブ、拡張部、リブなど）の間で捕捉されるように構成されている。図５に示す照明アセンブリ１６の実施形態では、ベゼル２０から上向きに延伸する部材６０を示しているが、他の例示的な実施形態によれば、ハウジング２２に部材６０を設けてもよい。さらなる他の例示的な実施形態によれば、ベゼル２０およびハウジング２２は、対応する部材を含んでいてもよく、これらの部材は照明アセンブリ１６の組み立て時に互いに近接し、突出部５８と嵌合することによって、または２つの突出部５８の間（例えば、リセス内など）に含まれることによって、ランプ２４の回転を制限するように作用する。突出部５８および部材６０は、照明アセンブリ１６が完全に組み立てられたときに、ランプ２４がランプ２４の中心線軸の周りでいずれの方向にも所与の量だけしか回転しないように構成されていてもよい。図５に示す１つの例示的な実施形態によれば、突出部５８は、照明アセンブリ１６の使用時には見えない箇所にある。
【００２１】
１つの例示的な実施形態によれば、ランプケーシング２６は、１つ以上のリブまたは拡張部６２を含み、それらのリブまたは拡張部６２は、ＰＣＢ３０およびランプカバー３４のそれぞれにあるノッチ６４および６６に受け入れられるように位置決めされている。リブ６２およびノッチ６４および６６は、ランプ２４の構成部品間の相対的な回転を防止する際の補助となるように意図されている。図５および図６は、ＰＣＢ３０およびランプカバー３４にあるノッチ６４および６６と嵌合するように構成されたランプケーシング２６のリブ６２を示しているが、ランプ２４のさまざまな構成部品間の相対的な回転を防止するための別の手段が使用されてもよい。例えば、リブおよびノッチの相対位置が逆であってもよい。さらに、複数のリブ／ノッチが使用されてもよい。
【００２２】
ランプケーシング２６は、レンズ２８、ＰＣＢ３０および／またはランプカバー３４を取り付け易いように意図された１つ以上のショルダ６８を、ランプケーシング２６の内部にさらに含んでいてもよい。図５に示すように、ショルダ６８は、ランプカバー３４の外縁部を支持するように構成されている。ショルダ６８は、ランプケーシング２６の内部の周りに部分的または完全に円形状を形成していてもよく、１つ以上の別々の部分からなるものであってもよい。あるいは、ランプ２４の他の構成部品の１つ以上を支持する他の手段を使用してもよい。
【００２３】
また、ランプ２４はレンズ２８を含んでいる。１つの例示的な実施形態によれば、レンズ２８は、ＬＥＤ３２とともに使用されるように構成されている。レンズ２８は、ＬＥＤ３２によって放出された光を集束および拡散する。図５に示すように、レンズ２８は、拡散レンズ／集束レンズの組み合わせである。あるいは、２つのレンズ（例えば、拡散レンズと別個の集束レンズ）が使用されてもよい。レンズ２８はランプケーシング２６内に嵌め込まれ、ランプケーシング２６の内面とＰＣＢ３０との間に固定される。ＰＣＢ３０とレンズ２８との間に適切な距離を維持して、ＬＥＤ３２をＰＣＢ３０に装着するための空間を与えるために、レンズ２８には１つ以上のスペーサ７０が設けられていてもよい。図５に示すように、スペーサ７０は、ランプケーシング２６上のポスト５６に適合するように構成されている。あるいは、レンズ２８とＰＣＢ３０との間に適切な分離が維持されるようにする他の手段が使用されてもよい。
【００２４】
また、ランプ２４はＬＥＤ３２が装着されるＰＣＢ３０を含んでいる。図５に示すように、ＰＣＢ３０は、ＰＣＢ３０を装着するための１つ以上の貫通孔７２を含んでいてもよい。あるいは、ＰＣＢ３０をランプ２４の他の構成部品に固定するための他の手段が使用されてもよい（例えば、穴が螺装されてもよく、またはランプの他の部品と嵌合したり、ランプの他の部品に通したりするポストが設けられてもよい）。また、ＰＣＢ３０はランプケーシング２６で記述したように、ランプの構成部品間の相対的な回転を防止する際の補助となるように意図されたノッチ６４を含んでいてもよい。ノッチ６４は、任意の適切な形状またはサイズのものであってもよく、任意の適切な場所に設けられてもよい。
【００２５】
１つの例示的な実施形態によれば、図３〜図５において本明細書に記述したＰＣＢ３０およびＬＥＤ３２ではなく、別のタイプの光源が照明アセンブリ１６に設けられてもよい。例えば、照明アセンブリ１６に、従来の白熱電球または他のタイプの光源が設けられてもよい。このような場合、ＰＣＢ３０は、取り付け板、ソケット、または光源を受け入れるように構成された他のデバイスと置き換えられてもよい。
【００２６】
レンズ２８、ＰＣＢ３０およびＬＥＤ３２は、ランプケーシング２６とランプカバー３４との間に固定される。図３〜図５に示すように、ランプカバー３４は、ランプケーシング２６の開放端部内または上部に受け入れられるように構成されたほぼ平坦な円形部品であってもよい。ランプカバー３４は、ＰＣＢ３０のノッチ６４に類似したノッチ６６を含み、ランプカバー３４および他のさまざまなランプの構成部品をランプケーシング２６に固定するために使用された１つ以上の貫通孔７４をさらに含んでいる。図３〜図５に示すように、構成部品はヒートステークを用いて固定される。あるいは、構成部品は超音波溶接、機械固定具または任意の他の適切な手段を用いて固定されてもよい。
【００２７】
一般に、ランプカバー３４は、ランプカバー３４の中央部分の位置にピボット７８が設けられたばね部分７６（例えば、ばねアーム、隆起部材または部分、バイアス部材など）を含んでいてもよい。ばね部分７６は、ピボット７８とハウジング２２のピボット点５０との間にばね力を与えるように構成され、このばね力はランプケーシング２６とベゼル２０との間の境界面に伝わる。ピボット７８は、ベゼル２０と連係するランプケーシング２６の部分の周囲にばね力が同等に分散されるように、図４に示す軸Ａ−Ａに沿った位置に設けられてもよい。これは、照明アセンブリ１６内でランプ２４を滑らかに安定して旋回させることを意図したものであり、適合するソケットによって実質的に取り囲まれた球状のリア部分を備えた従来の照準可能なランプアセンブリが、不要な摩擦力や他の力を発生させて照明アセンブリの滑らかな旋回を妨害する可能性があったことと比較して優れた点である。さらに、従来のランプアセンブリでは、リア部分の輪郭が球状であるため、本明細書に開示されたもののように、より薄型のアセンブリを必要な領域に設置することができない。
【００２８】
１つの例示的な実施形態によれば、ランプカバー３４は、金属（例えば、金属シート）から作られた型打ち物であってもよい。あるいは、ランプカバー３４は、必要なばね力特性をランプカバー３４に供給可能であり、照明アセンブリ１６の使用時にＬＥＤ３２または他の光源によって発生する熱に耐性可能である任意の適切な材料（例えば、プラスチック材料）から作られてもよい。
【００２９】
照明アセンブリ１６は、ＰＣＢ３０、ＬＥＤ３２および／または使用されてもよい任意の他の電子構成部品に電力を供給して制御するのに適した任意の従来の配線および／またはケーブルを用いて配線されてもよい。図面に示すように、ハウジング２２に１つ以上の開口８０が設けられていてもよく、ランプカバー３４にＰＣＢ３０およびＬＥＤ３２に電力を供給して制御するためのワイヤを通すように意図された１つ以上の開口８２が設けられていてもよい。ランプカバー３４およびハウジング２２には任意の適切な構成の開口が使用されてもよい。
【００３０】
図７に、ランプカバーの別の例示的な実施形態を示す。カバー８４は図５のランプカバー３４と類似したものであり、ランプカバー８４のほぼ中央部分にピボット８８が設けられたばね部分８６（例えば、ばねアームなど）を含んでいる。図７に示すように、カバー８４は、ノッチ（図５に示すノッチ６６など）を含まない。
【００３１】
図８に、ランプカバーの別の例示的な実施形態を示す。ばね部分がないランプカバー９４が設けられ、照明アセンブリ１６にばね力を供給するために、ランプ２４とハウジング２２との間に、別個のばね９６が設けられている。図８に示すように、ばね９６は、金属型打ち物で形成されてもよく、ばね９６に設けられたピボット境界面９８を受け入れるためのリセス９３を含んでいてもよい。別のタイプの材料およびばねタイプ（例えば、コイルばねなど）が使用されてもよい。ばね９６は、任意の適切な手段を用いてランプ２４に永久的または取り外し可能に固定されてもよく、ランプ２４はばね９６に対して旋回してもよい（例えば、ピボットインタフェース９８は、カバーではなくばね９６の位置に設けられてもよい）。このような場合、ランプ２４は、例えば、金属ばねと連係するプラスチック材料であってもよい。あるいは、ランプカバー９４を作製するために、他の材料が使用されてもよい。
【００３２】
図３〜図４を再度参照すると、ベゼル２０とハウジング２２との間にランプ２４が固定されている。照明アセンブリ１６が完全に組み立てられると、ランプケーシング２６がベゼル２０の孔３６を越えて延伸し、かつ孔３６と連係するようにして、ランプ２４は位置決めされる。ランプ２４のリア部分（例えば、ランプカバー３４）は、ピボット点７８でハウジング２２と連係する。さまざまな部品の輪郭は、照明アセンブリ１６が組み立てられると、ランプ２４のばね部分７６が圧縮することによって、ランプ２４とベゼル２０との間の境界にバイアスされる。ピボット点７８の場所が軸Ａ−Ａ（図４を参照）に沿った中心にあるため、そのバイアスはランプケーシング２６とベゼル２０との間の境界の周りで実質的に同等に分散される。
【００３３】
以下、図１１を参照すると、ハウジング２２の後端部の内部に、さらなる突出部またはスペーサ９２を設けてもよい。スペーサ９２は、ランプ２４と、ハウジング２２の後端部の内部との間の分離距離を最小に維持し、例えば、照明アセンブリ１６の使用者が、ランプカバーのばね部分を押し下げ過ぎないようにするために設けられてもよい。スペーサ９２は、ランプ２４の最大ピボット角度θをさらに維持してもよい。あるいは、ランプ２４の最大ピボット角度θを維持する他の手段が使用されてもよい。スペーサ９２は、ハウジング２２に対して、一体成形されても、機械的に固定されても、超音波溶接されても、または任意の適切な手段を用いて他の方法で固定されてもよく、任意の適切な材料（例えば、プラスチック、金属など）で作られてもよい。あるいは、スペーサ９２は、ハウジング２２ではなくランプカバー３４に設けられてもよい。さらなる別の実施形態によれば、スペーサ９２は、ばね部分７６を圧縮する傾向があるランプ２４の動きを適切に制御し続けるために、ピボット５０に隣接して設けられてもよい。
【００３４】
図面に示すように、ソケットタイプのレセプタクル内に全球状のランプ本体を含むのではなく、ほぼ半球状としてランプを構成してピボット境界点を用いることにより、許容範囲の動きを維持したまま、照明アセンブリを薄型化することができる。照明アセンブリ内でのランプの旋回運動範囲は、さまざまな方法で制御されてもよい。例えば、ランプ２４が軸Ａ−Ａ（図４を参照）の周りを過度に回転しないように、ランプケーシング２６の突出部５８およびハウジング２２および／またはベゼル２０の内部の部材６０が使用されてもよい。特に、これにより、ねじれや曲げなどによる配線へのダメージが防止されることもある。使用者が、ランプカバー３４のばねアーム７６を押しすぎて、ランプケーシング２６とベゼル２０との嵌合を解除してしまうことがないように、ランプ２４とハウジング２２の背面との間にスペーサ９２が使用されてもよい（図１１を参照）。これは、部分的に、ばねアームおよび／または旋回構成部品が使用中にダメージを受けないようにすることを意図したものである。さらに、例えば、図４に示すように、ハウジング２２とベゼル２０との間の距離は、ランプ２４の最大ピボット角度θが維持されるように制御されてもよい。１つの例示的な実施形態によれば、ランプ２４は、直線位置（すなわち、軸Ａ−Ａがベゼル２０に対して垂直である位置）から最大で約１５度旋回するようにされる。
【００３５】
図１２〜図１４は、別の例示的な実施形態に係るオーバーヘッドコンソール１１４を示す。オーバーヘッドコンソール１１４は、フロントハウジング（例えば、ベゼル）１２０と、リアカバーまたはハウジング１２２と、ベゼル１２０とリアハウジング１２２との間に設けられた１つ以上のランプ１２４とを含んでいる。また、コンソール１１４はランプ用の１つ以上のボタンまたはスイッチ１２５と、スイッチ１２７と、他の特徴および構成部品（例えば、ドームランプなど）を制御するためのプリント回路基板１３２とを含んでいてもよい。ランプ１２４は、図５のランプ２４に類似したものであり、ランプケーシング１２６と、レンズ１２８と、発光ダイオード（ＬＥＤ）１３２が装着されるプリント回路基板（ＰＣＢ）１３０と、ランプカバー１３４とを含んでいる。ランプカバー１３４は、例えば、図５に示すばねアーム７６に類似したばねアーム１７６を含み、ばねアーム１７６は、リアカバー１２２によって形成された傾斜壁１２３に設けられたピボット部分１２９で旋回する。ばねアーム１７６は、ベゼル１２０の孔１３６の方へランプ１２４を付勢する。図１３から分かるように、ベゼル１２０およびハウジング１２２は、さまざまな用途などに適合するように、さまざまな角度および配向で複数のランプアセンブリを設けられるように構成されてもよい。さらに、ベゼル１２０およびハウジング１２２は、例えば、オーバーヘッドコンソール（コンソール１１９など）の全体的な構成部品となるように、他の車両構成部品に一体化されてもよい。
【００３６】
上記または他の例示的な実施形態によれば、他の構成部品は、図面に例示したランプアセンブリとともに、他の用途に適合させるための付属品や取り付け装置などの他の構成部品を含んでいてもよい。
【００３７】
照明アセンブリの要素の構造および配置および例示した他の例示的な実施形態に示すような照明アセンブリの製造方法は、説明的なものにすぎない。本発明のいくつかの実施形態のみを本明細書において詳細に記載してきたが、本開示を検討する当業者であれば、本明細書において列挙した主題の新規な教示および利点から著しく逸脱することなく、多くの修正が可能であることを容易に認識するであろう（例えば、さまざまな要素のサイズ、寸法、構造、形状および比、パラメータ値、取り付け配置、材料の使用量、色、向きなど）。例えば、一体に形成して示した要素は、複数の部品または要素で作られてもよく、要素の位置は、反転させても、変更してもよく、別個の要素または位置の性質または数が変えられ、または変更されてもよい。
【００３８】
照明アセンブリの要素および／またはアセンブリは、多種多様な色、テクスチャおよびそれらの組み合わせで多種多様な成形可能なプラスチック材料の任意のもの（耐衝撃性プラスチック）または高分子などを含んだ十分な強度と耐久性を備えた多種多様な材料の任意のものから作られたものであってもよいことに留意されたい。さまざまな構成部品の形状およびサイズは、外観、成形性および照明アセンブリおよび照明アセンブリの従属構成部品の組み立てを高めるために変更されてもよい。本発明の範囲から逸脱することなく、好ましい実施形態および他の例示的な実施形態のデザイン、動作条件および配列に、他の代替、修正、変更および省略が行われてもよい。
【００３９】
任意のプロセスまたは方法のステップの順序または並び方は、別の実施形態に応じて変更され、または並び直されてもよい。本発明の趣旨から逸脱することなく、好ましい実施形態および他の例示的な実施形態の設計、動作構成および配置に、他の代替、修正、変更および省略が行われてもよい。
【図１】
2009541941.tif 000003
【図２】
2009541941.tif 000004
【図３】
2009541941.tif 000005
【図４】
2009541941.tif 000006
【図５】
2009541941.tif 000007
【図６】
2009541941.tif 000008
【図７】
2009541941.tif 000009
【図８】
2009541941.tif 000010
【図９Ａ】
2009541941.tif 000011
【図９Ｂ】
2009541941.tif 000012
【図１０Ａ】
2009541941.tif 000013
【図１０Ｂ】
2009541941.tif 000014
【図１１】
2009541941.tif 000015
【図１２】
2009541941.tif 000016
【図１３】
2009541941.tif 000017
【図１４】
2009541941.tif 000018
【国際調査報告】
2009541941.tif 000019
2009541941.tif 000020
2009541941.tif 000021